(57)【要約】【課題】本発明は、安価なコストにて外観の意匠性を高めることができる爪装飾用シールを提供することを目的とする。【解決手段】本発明に係る爪装飾用シール１は、略方形状に形成されたシール基台１０と、該シール基台１０の下面に塗布される粘着層２０と、該粘着層２０の下面に貼り付けられる剥離シート３０とを備えている。また、この爪装飾用シール１において、シール基台１０は、周縁部に配置されており、シール基台１０を化粧するための化粧用絵柄１１ａが上面に印刷された化粧用シール部１１と、該化粧用シール部１１の内側に配置されており、爪Ｎを装飾するための爪装飾用絵柄１２ａが上面に印刷された複数の爪用シール部１２とを有しており、爪用シール部１２が個別に剥離シート３０から剥離可能となる態様で型抜きされている。【選択図】図２
2014046103.tif 000002
【特許請求の範囲】
【請求項１】
人の手や足の指の爪に貼り付けて装飾する爪装飾用シールであって、
所定形状に形成されたシール基台と、
前記シール基台の下面に設けられる粘着層と、
前記粘着層の下面に貼り付けられる剥離シートとを備え、
前記シール基台は、周縁部に配置され、前記シール基台を化粧するための絵柄が上面に印刷された化粧用シール部と、該化粧用シール部の内側に配置され、爪を装飾するための絵柄が上面に印刷された複数の爪用シール部とを有し、前記爪用シール部が型抜きされていることを特徴とする爪装飾用シール。
【請求項２】
前記化粧用シール部は、前記シール基台の周縁部に沿って環状となる態様で型抜きされている請求項１に記載の爪装飾用シール。
【請求項３】
前記化粧用シール部は、絵柄が前記シール基台の周縁部に沿って連続的に印刷されている請求項１または請求項２に記載の爪装飾用シール。
【請求項４】
前記爪用シール部は、絵柄がＵＶ印刷機により立体的に印刷されている請求項１ないし請求項３のいずれかに記載の爪装飾用シール。
【請求項５】
前記シール基台は、伸縮性のある合成樹脂製フィルムからなる請求項１ないし請求項４のいずれかに記載の爪装飾用シール。
【請求項６】
前記シール基台は、塩化ビニル系樹脂製フィルムからなる請求項５に記載の爪装飾用シール。
【発明の詳細な説明】
【技術分野】
【０００１】
本発明は、人の手や足の指の爪に貼り付けられて装飾する爪装飾用シールに関するものである。
【背景技術】
【０００２】
従来、人の足や手の指の爪に、各種絵柄からなる装飾を施すことが広く行われており、最近では爪に直接貼り付けることが可能な爪装飾用シールも知られている（例えば、下記特許文献１参照）。
【０００３】
このような爪装飾用シールは、店頭等で販売される際、図４に示すように、一方側の紙片部２０１に表示窓２０１ａが形成された２つ折りの台紙２００に、該表示窓２０１ａから上面を覗かせる態様で挟み込まれ、図示略の透明なプラスチック製の袋体等に包装されるのが一般的である。そして、爪装飾用シール１００は、上面に絵柄が印刷された複数の爪用シール部１０１が中央部付近に配置され、これら爪用シール部１０１を剥がして爪に貼り付けて装飾することができる。
【０００４】
ここで用いられる台紙２００は、表示窓２０１ａの周囲（紙片部２０１の周縁部）に化粧用装飾部２０１ｂが形成されており、この化粧用装飾部２０１ｂで爪装飾用シール１００の上面側の見栄えを良くするように化粧することによって、爪装飾用シール１００の販売時の外観の意匠性を高めるというものである。
【先行技術文献】
【特許文献】
【０００５】
【特許文献１】特許第４０４４５７５号
【発明の概要】
【発明が解決しようとする課題】
【０００６】
しかしながら、上述したような装飾された２つ折の台紙は確かに販売時における外観の意匠性を高めることができるが、爪装飾用シールとは別にコストがかかるため、爪装飾用シールの販売価格が高くなるという問題があった。また、消費者にとっては、台紙は購入後の利用価値がほとんどなく、捨てられてしまう場合が大半である。このため、爪装飾用シールの販売に際して、台紙を用いることはコストパフォーマンスが良いと言えるものではなかった。
【０００７】
なお、上記の問題は、２つ折りの台紙に限られるものではなく、爪装飾用シールの上面側を化粧する他の台紙についても同様であり、さらに台紙のような紙素材からなるものに限られず、その他の素材からなるものであっても同様のことが言える。
【０００８】
本発明は、上述の問題に鑑みてなされたものであって、安価なコストにて外観の意匠性を高めることができる爪装飾用シールを提供することを目的とする。
【課題を解決するための手段】
【０００９】
本発明は、上記目的を達成するために、人の手や足の指の爪に貼り付けて装飾する爪装飾用シールに関するものであって、所定形状に形成されたシール基台と、シール基台の下面に設けられる粘着層と、粘着層の下面に貼り付けられる剥離シートとを備えている。本発明に係る爪装飾用シールは、シール基台は、周縁部に配置され、シール基台を化粧するための絵柄が上面に印刷された化粧用シール部と、該化粧用シール部の内側に配置され、爪を装飾するための絵柄が上面に印刷された複数の爪用シール部とを有し、爪用シール部が型抜きされていることを特徴とする。
【００１０】
これによれば、化粧用シール部に印刷された絵柄によりシール基台の上面側を化粧することによって、台紙等の他の部材を用いて装飾することなく爪装飾用シール単体で見栄えが良いため、安価なコストにて外観の意匠性を高めることができる。また、化粧用シール部を爪用シール部とは別に種々の物品に貼り付けて装飾し得るため、爪の装飾に加えて物品の装飾という他の利用価値を消費者に提供することができる。
【００１１】
また、化粧用シール部は、シール基台の周縁部に沿って環状となる態様で型抜きされているのが好ましい。これによれば、化粧用シール部が剥離シートから剥離されると環状のシールとなされるため、その環状の化粧用シール部を写真や絵等を囲む態様で物品に貼り付けることにより当該物品をフレーム的に装飾することができる。
【００１２】
また、化粧用シール部は、絵柄がシール基台の周縁部に沿って連続的に印刷されているのが好ましい。これによれば、化粧用シール部の絵柄が環状となり、その環状の絵柄の内側に爪用シール部の絵柄が配置されるため、爪用シール部の絵柄を際立たせることができる。
【００１３】
また、爪用シール部は、絵柄がＵＶ印刷機により立体的に印刷されているのが好ましい。これによれば、ＵＶ印刷機により立体的な絵柄を高精細に印刷することができる。
【００１４】
また、シール基台は、伸縮性のある合成樹脂製フィルムからなるのが好ましい。これによれば、爪用シール部が爪の３次元形状に追従するため、種々の形状の爪に貼り付けることができる。
【００１５】
また、シール基台は、塩化ビニル系樹脂製フィルムからなるのが好ましい。これによれば、塩化ビニル系樹脂製フィルムが本来持つ防汚性や保護性から爪の表面を保護するとともに、独特の光沢性が外観の意匠性をより高めることができる。
【発明の効果】
【００１６】
本発明によれば、化粧用シール部に印刷された絵柄によりシール基台の上面側を化粧することによって、台紙等の他の部材を用いて装飾することなく爪装飾用シール単体で見栄えが良いため、安価なコストにて外観の意匠性を高めることができる。
【００１７】
また、化粧用シール部を爪用シール部とは別に種々の物品に貼り付けて装飾し得るため、爪の装飾に加えて物品の装飾という他の利用価値を消費者に提供することができる。
【図面の簡単な説明】
【００１８】
【図１】本発明に係る爪装飾用シールを示す平面図である。
【図２】図１の爪装飾用シールを示す拡大断面図である。
【図３】図１の爪装飾用シールの使用例を示す図である。
【図４】従来の爪装飾用シールの販売時の状態を示す図である。
【発明を実施するための形態】
【００１９】
次に、本発明に係る爪装飾用シール（以下、本シールという）の一実施形態について図１〜図３を参照しつつ説明する。
【００２０】
本実施形態に係る本シール１は、人の手や足の指の爪に貼り付けて装飾するものであって、図１および図２に示すように、略方形状に形成されたシール基台１０と、該シール基台１０の下面に塗布される粘着層２０と、該粘着層２０の下面に貼り付けられる剥離シート３０とを備えている。
【００２１】
なお、図１の本シール１は、販売用の商品形態とするために、シール基台１０、粘着層２０および剥離シート３０が積層されてなる図示略の大きなシート部材を、格子状に配置した裁断線１０ａに沿って裁断して得られたものである。
【００２２】
前記シール基台１０は、図１に示すように、インクが浸透しない伸縮性のあるシート状部材から構成される。このようにシール基台１０が伸縮性を有することにより、爪Ｎの３次元形状に追従することができる。また、シール基台１０は、インクが浸透しないため、後述のＵＶ（Ｕｌｔｒａ  Ｖｉｏｌｅｔ  ｒａｙ）印刷機によって印刷するときにインクが不用意に浸透せずに、シール基台１０の上面にて高精細で立体的な絵柄を形成することができる。
【００２３】
このシール基台１０は、合成樹脂からなり、例えば塩化ビニル系樹脂製フィルムが好適に用いられる。このフィルムは、例えば表面にフッ素系防汚処理を施した塩化ビニル系樹脂製フィルムであって、一般には印刷表面の保護を目的とした、いわゆるオーバーラミネートと呼ばれるフィルムが使用される。また、このフィルムは、紫外線から印刷表面を保護するものであることから、表面の物理的強度は高く、爪の保護にも寄与することができる。また、長期使用においても汚れの付着を防ぎ、爪表面の美観を保持し、メンテナンス性にも優れており、また、独特の光沢性が外観の意匠性をより高めることができる。さらに一般に安価に入手可能なことから、コストを軽減することもできる。しかも、このフィルムとＵＶ印刷とは非常に親和性が高い組み合わせである。
このシール基台１０の製品特性の一例を挙げると下記のとおりである。
材質：塩化ビニル系樹脂製フィルム
フィルム１０色：透明または半透明
重量：代表値９７ｇ／ｍ３
貼付温度：ラミネート環境気温１５℃以上
紫外線吸収率：９８％以上
【００２４】
なお、シール基台１０は、伸縮性があるものであれば厚さは特に限定されるものではないが、爪の３次元形状への追従を考慮すると、好ましくは３０ミクロン〜５０ミクロンの厚さのものであり、より好ましくは約４０ミクロンの厚さのものが良い。
【００２５】
上述したシール基台１０は、図１および図２に示すように、周縁部に配置される化粧用シール部１１と、該化粧用シール部１１の内側に配置される複数の爪用シール部１２とを有しており、この化粧用シール部１１と爪用シール部１２は後述する型抜き線１１ｂ，１２ｂによって型抜きされている。
【００２６】
前記化粧用シール部１１は、絵柄（以下、化粧用絵柄という）１１ａが上面に印刷されており、この化粧用絵柄１１ａによりシール基台１０の上面側を見栄え良く化粧することができる。ここでの化粧用絵柄１１ａは、「女の子」「猫」「コーヒーカップ」などの各絵柄がシール基台１０の周縁部に沿って連続的に印刷されており、このため化粧用絵柄１１ａは全体として環状となされている。
【００２７】
前記爪用シール部１２は、絵柄（以下、爪装飾用絵柄という）１２ａが上面に印刷されており、この爪装飾用絵柄１２ａにより後述するように爪Ｎを装飾することができる。この爪用シール部１２は、化粧用シール部１１の内側に点在する態様で配置されているため、環状となされた化粧用絵柄１１ａの内側に各爪装飾用絵柄１２ａが配置され、このことにより爪装飾用絵柄１２ａを際立てることができる。また、この爪装飾用絵柄１２ａに対して、化粧用絵柄１１ａが関連性を有した統一感のある内容の絵柄であることによって、シール基台１０の見栄えをより良く化粧することができる。
【００２８】
また、上述の爪用シール部１２については、爪装飾用絵柄１２ａが例えば図示略のＵＶ印刷機により立体的に印刷されている。ＵＶ印刷機は、インクジェットノズルから微細なインクを吐出し、爪装飾用絵柄１２ａをシート基台１０に描き出す印刷機である。一般的な水性あるいは溶剤系のインクを利用するインクジェット方式では、インク成分内の水分や溶剤成分の気化によってインクがメディアに定着する。これに対して、ＵＶ印刷機では、紫外線硬化型のインクを採用し、ＵＶランプの照射によってインクを定着させる。このようにＵＶ印刷機を使用すれば、ラミネートフィルムを初めとする各種のシート基台１０にも印刷が可能であり、しかも絵柄を高精細に印刷し得るため、写真等のような微細な表現が必要な絵柄を爪用シール部１２に印刷することができる。また、シリコン素材のシールのように製造に型などが必要なく、小ロットでも容易に製造することができる。
【００２９】
ＵＶインクの硬化光源としては一般的にはハロゲンＵＶランプが採用されることが多い。このハロゲンＵＶランプはまさに白熱ランプであり、発光と同時に些か大きい発熱を生じことがある。このためＵＶインクの硬化光源としてはＬＥＤ（Ｌｉｇｈｔ−Ｅｍｉｔｔｉｎｇ  Ｄｉｏｄｅ）−ＵＶランプを使用したものが好適に用いられる。このＬＥＤ−ＵＶランプのメリットとしては、低商品電力、ランプの長寿命化が挙げられるが、なにより光源が熱を大量に発生しないのが大きなメリットである。これによれば数ミクロン、数十ミクロンといった極薄のシート基台１０にも安定した印刷が可能となる。
【００３０】
上述のシール基台１０に関し、従来では、爪装飾用シール１００に本実施形態でいう爪用シール部１２のみが形成されている（図４参照）のに対し、本シール１では、爪用シール部１２に加えて化粧用シール部１１がシール基台１０の周縁部に設けられている（図１参照）。このことより、化粧用シール部１１に印刷された化粧用絵柄１１ａによりシール基台１０の上面側を化粧することによって、爪装飾用シール１単体で見栄えが良いため、安価なコストにて外観の意匠性を高めることができる。
【００３１】
また、上述のシール基台１０において、図２および図３に示すように、爪用シール部１２は、上面に印刷された爪装飾用絵柄１２ａの輪郭（外縁）に沿って型抜き線１２ｂが設けられており、これにより爪用シール部１２が個別に剥離シート３０から剥離可能となされている。
【００３２】
一方、化粧用シール部１１は、図２および図３に示すように、シール基台１０の周縁部に沿って環状となる態様で型抜きされている。具体的には、化粧用シール部１１は、上面に印刷された化粧用絵柄１１ａの輪郭（内縁）に沿って型抜き線１１ｂが設けられており、この型抜き線１１ｂとシート基台１０の裁断線１０ａとによって化粧用シール部１１が環状となされ、個別に剥離シート３０から剥離可能となされている。
【００３３】
前記粘着層２０は、図２に示すように、シール基台１０の下面においてシール基台１０と一体化している。この粘着層２０は、特に限定されるものではないが、水や熱に強く、入浴等をしても剥離せず、また、剥離したいときには粘着層２０の一部が爪Ｎに残ること等のない材質を用いることが望ましく、例えば透明感圧型のアクリル系の粘着層２０が挙げられる。
【００３４】
前記剥離シート３０は、図１および図２に示すように、シール基台１０と同一形状となされた紙製のシート状部材であり、粘着層２０の粘着力によってシール基台１０の下面に貼り付いている。一方で、この剥離シート３０は、粘着層２０に貼り付いている側の面において、粘着層２０から剥離し易くなる加工が施されている。このため、粘着層２０と剥離シート３０が離間する方向あるいは横ずれする方向に力が加わえられることによって、剥離シート３０を粘着層２０から容易に剥離することができる。
【００３５】
以上の本シート１によれば、化粧用シール部１１に印刷された化粧用絵柄１１ａによりシール基台１０の上面側を化粧することによって、爪装飾用シール１単体で見栄えが良いため、安価なコストにて外観の意匠性を高めることができる。
【００３６】
また、爪用シール部１２は、爪装飾用絵柄１２ａで爪Ｎを装飾する態様で型抜きされていることより（図３の上段参照）、爪用シール部１２を剥離シート３０から剥離すると、爪Ｎを装飾するためのシールとなされる（図３の左側中段参照）。そして、このシールとなされた爪用シール部１２を、粘着層２０により爪Ｎの表面に貼り付けることによって、爪Ｎを簡単に装飾することができる（図３の左側下段参照）。
【００３７】
一方、化粧用シール部１１は、シール基台１０の周縁部に沿って環状となる態様で型抜きされていることより（図３の上段参照）、化粧用絵柄１１ａが上面に印刷された化粧用シール部１１を剥離シート３０から剥離すると環状のシールとなされる（図３の右側中段参照）。そして、この環状のシールとなされた化粧用シール部１１を、粘着層２０により携帯電話やスマートフォン等の携帯端末Ｍあるいは日記帳Ｄのような身の回りの物品に貼り付けることによって、当該物品を装飾することができる（図３の右側下段参照）。
【００３８】
しかも、本実施形態では、化粧用シール部１１が環状のシールとなされているため、日記帳Ｄに付された写真Ｐを囲む態様で環状の化粧用シール部１１を貼り付けることによって、当該写真Ｐをフレーム的に装飾することができる。
【００３９】
なお、本実施形態において、爪用シール部１２が上面に印刷された爪装飾用絵柄１２ａの輪郭に沿って型抜きされている場合について説明したが、爪装飾用絵柄１２ａの輪郭に沿っていなくてもよく、例えば爪装飾用絵柄１２ａの輪郭よりもやや大きめに型抜きされる等、爪装飾用絵柄１２ａで爪Ｎを装飾する態様で型抜きされていればよい。
【００４０】
また、化粧用シール部１１が環状となる態様で型抜きされている場合について説明したが、環状となる態様で型抜きされていなくてもよい。
【００４１】
また、化粧用絵柄１１ａが連続的に印刷されている場合について説明したが、例えば断続的に印刷されている等、その他の態様で印刷されていてもよい。
【００４２】
また、爪装飾用絵柄１２ａがＵＶ印刷機により印刷される場合について説明したが、その他の印刷方式であってもよい。
【００４３】
また、シール基台１０および剥離シート３０が略方形状に形成（裁断）されている場合について説明したが、その他の形状で形成されていてもよい。
【００４４】
また、シール基台１０が伸縮性を有する場合について説明したが、有していなくてもよい。
【００４５】
また、シール基台１０が塩化ビニル系樹脂製フィルムからなる場合について説明したが、他の合成樹脂製フィルムであってもよく、さらにその他の素材からなるシート状部材であってもよい。
【００４６】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４７】
１…爪装飾用シール
１０…シール基台
１０ａ…裁断線
１１…化粧用シール部
１１ａ…化粧用絵柄
１１ｂ…型抜き線
１２…爪用シール部
１２ａ…爪装飾用絵柄
１２ｂ…型抜き線
２０…粘着層
３０…剥離シート
【図１】
2014046103.tif 000003
【図２】
2014046103.tif 000004
【図３】
2014046103.tif 000005
【図４】
2014046103.tif 000006